(57)【特許請求の範囲】
【請求項１】
上面に指が載置される指載置面と、
複数の互いに異なるネイルデザインの画像データを記憶している記憶部と、
前記記憶部に記憶されている前記複数のネイルデザインから選出された１又は複数の特定のネイルデザインのうち、使用者により選択された１つの前記ネイルデザインによる印刷を指の爪に施す印刷部と、
前記指載置面に設けられ、前記指載置面上の予め設定された読取位置に載置された指から個人識別可能な生体情報を取得する生体情報取得部と、
前記記憶部と前記印刷部と前記生体情報取得部とを制御する制御部と、
を備え、
前記記憶部は、前記印刷を施した爪に対応する指の前記生体情報と当該爪に印刷された前記ネイルデザインとを互いに対応付けて記憶しており、
前記制御部は、
前記指載置面上の前記読取位置に載置された印刷指に対して前記生体情報取得部が取得した前記生体情報を印刷指生体情報とし、該印刷指生体情報と前記記憶部に記憶されている前記生体情報とを照合する生体情報照合部と、
前記生体情報照合部の照合により前記印刷指生体情報に合致すると判断された前記生体情報に対応付けて前記記憶部に記憶されている前記ネイルデザインを前記特定のネイルデザインとして選出するデザイン選出部と、
前記指載置面上の前記読取位置に載置されて、前記生体情報取得部により前記生体情報が取得された後の前記印刷指の前記爪に、前記印刷部により前記ネイルデザインの印刷が施されるように制御する印刷制御部と、
を有することを特徴とするネイルプリント装置。
【請求項２】
前記制御部は、前記印刷部により前記印刷指の爪に前記印刷を施した際に、前記印刷指の前記生体情報と当該印刷に用いられた前記ネイルデザインとを互いに対応付けて前記記憶部に記憶させる記憶制御部を備えることを特徴とする請求項１に記載のネイルプリント装置。
【請求項３】
前記特定のネイルデザインを表示する表示部と、
前記表示部に表示された前記特定のネイルデザインから前記印刷に用いる前記ネイルデザインを選択するための、使用者により操作される操作部と、
を備えることを特徴とする請求項１又は請求項２に記載のネイルプリント装置。
【請求項４】
前記記憶制御部は、前記記憶部に、前記生体情報に対応付けて、該生体情報に対応する使用者の固有情報を記憶し、
前記制御部は、前記特定の生体情報に対応付けて前記記憶部に記憶されている前記固有情報を前記表示部に表示させて、前記生体情報照合部による照合の結果が正しいか否かを前記使用者に確認させる手段を有し、
前記制御部は、前記使用者により前記生体情報照合部による前記照合の結果が正しくないと判断されたとき、前記使用者により入力される正しい固有情報に対応付けて前記記憶部に記憶されているネイルデザインを前記特定のネイルデザインとして選出することを特徴とする請求項３に記載のネイルプリント装置。
【請求項５】
前記指載置面上に載置された前記印刷指を含む指定領域を撮影して指画像を取得する指画像取得部を備え、
前記制御部は、前記印刷指の爪に対して前記印刷部が印刷を施す印刷領域を設定する印刷領域設定部と、前記指画像取得部が取得した前記指画像から前記印刷指の爪の形状に対応する原爪領域データを抽出する爪領域抽出部と、を備え、
前記記憶制御部は、前記生体情報に対応付けて、前記爪領域抽出部が抽出した前記原爪領域データを前記記憶部に記憶させ、
前記印刷領域設定部は、前記生体情報照合部の照合により前記印刷指生体情報に合致すると判断された前記生体情報に対応付けて前記記憶部に記憶されている前記原爪領域データに基づいて、前記印刷領域を設定することを特徴とする請求項１から請求項４のいずれか一項に記載のネイルプリント装置。
【請求項６】
指の爪に印刷を施すネイルプリント装置の印刷制御方法において、
前記印刷を施す爪に対応する指を印刷指として、前記印刷指が指載置面上の予め設定された読取位置に載置されている状態で、前記印刷指から個人識別可能な生体情報を印刷指生体情報として取得し、
該印刷指生体情報と、前記印刷を施した爪に対応する指の前記生体情報と当該爪に印刷された前記ネイルデザインとを互いに対応付けて記憶している記憶部に記憶されている前記生体情報と、を照合し、
記憶部に記憶されている複数の互いに異なるネイルデザインから、前記照合により前記印刷指生体情報に合致すると判断された前記生体情報に対応付けて前記記憶部に記憶されている１又は複数の特定のネイルデザインを選出し、
前記指載置面上の前記読取位置に載置され、前記生体情報が取得された後の前記印刷指の前記爪に、前記特定のネイルデザインにおける使用者により選択された１つの前記ネイルデザインによる印刷を施すことを特徴とする印刷制御方法。
【請求項７】
前記印刷指の爪に前記印刷を施した際に、前記印刷指の前記生体情報と当該印刷に用いられた前記ネイルデザインとを互いに対応付けて前記記憶部に記憶させる工程を含むことを特徴とする請求項６に記載の印刷制御方法。
【請求項８】
前記印刷を施す際に前記記憶部に前記生体情報と前記ネイルデザインとを対応付けて記憶させる工程は、前記記憶部に前記生体情報に対応付けて、該生体情報に対応する使用者の固有情報を記憶させる工程と、前記照合により前記印刷指生体情報に合致すると判断された前記生体情報に対応付けて前記記憶部に記憶されている前記固有情報を表示部に表示させて、前記照合の結果が正しいか否かを使用者に確認させる工程と、を含み、
前記特定のネイルデザインを選出する工程は、前記使用者により前記照合の結果が正しくないと判断され、前記使用者により正しい固有情報が入力されたとき、入力された前記正しい固有情報に対応付けて前記記憶部に記憶されている前記ネイルデザインを前記特定のネイルデザインとして選出する工程を含むことを特徴とする請求項６又は請求項７に記載の印刷制御方法。
【請求項９】
前記印刷を施す工程は、前記指載置面上に載置された前記印刷指の爪を含む指定領域を撮影して指画像を取得し、前記指画像から前記印刷指の爪の形状に対応する原爪領域データを抽出する工程を含み、
前記記憶部に前記生体情報と前記ネイルデザインとを対応付けて記憶させる工程は、前記記憶部に前記生体情報に対応付けて前記原爪領域データを記憶させる工程を含み、
前記印刷を施す工程は、前記照合により前記印刷指生体情報に合致すると判断された前記生体情報に対応付けて前記記憶部に記憶されている前記原爪領域データに基づいて、前記印刷指の前記爪に対して前記印刷を施す印刷領域を設定する工程を含むことを特徴とする請求項６から請求項８のいずれか一項に記載の印刷制御方法。 
【発明の詳細な説明】
【技術分野】
【０００１】
本発明は、ネイルプリント装置及び印刷制御方法に関するものである。
【背景技術】
【０００２】
従来、指の爪に印刷を施すネイルプリント装置が提案されている。ネイルプリント装置は、例えば、印刷しようとする爪に対応する指を、装置本体に設けた指載置台に位置決めし、この位置決めした指の爪にインクジェット方式等の印刷ヘッド等を用いて色や絵柄等の画像を印刷するプリント装置である。
【０００３】
例えば個人用にプリント装置を使用する場合、印刷を行う度にユーザが自分に合った設定を行うのは煩雑であり、時間もかかる。
そこで、プリント装置にユーザ認証手段を備え、ユーザ認証手段の認証結果に基づいてユーザが予め設定したユーザ設定情報をプリント装置の設定に反映させることにより、ユーザが印刷の度に設定操作を行わなくても、ユーザに対応した設定となるようにプリント装置の動作状態を制御する構成が提案されている（例えば、特許文献１参照）。
【先行技術文献】
【特許文献】
【０００４】
【特許文献１】特開２００８−３１２１１６号公報
【発明の概要】
【発明が解決しようとする課題】
【０００５】
ところで、ネイルプリント装置で印刷を行うためには、事前に爪に印刷したいネイルデザインを選択、設定する必要がある。
しかしながら、ネイルプリント装置には、複数のネイルデザインが記憶されているため、ユーザは多くの候補の中から所望のネイルデザインを探して選択しなければならない。
例えば、気に入ったデザインを繰り返し印刷したいと思っても、もう一度同じネイルデザインを読み出したり、確認したりするためには、複数のネイルデザインの中から再度探さなければならず、ユーザにとって煩雑であり、時間もかかっていた。
また、特に、１台のネイルプリント装置を、例えば家族や友人等の複数の人で共用して使うような場合には、ユーザが変わる度に多くのネイルデザインの中から所望のデザインを探して選択、設定するという作業をネイル印刷前に行わなければならない。このため、ユーザにとって一層煩雑であるとともに、ネイル印刷にかかる時間が長くなり、簡易にネイル印刷を楽しむことができなかった。
【０００６】
この点、特許文献１に記載のプリント装置は、ユーザの認証を行い、その認証結果に基づいてユーザに対応した設定となるようにプリント装置の設定を変更するものであるが、ここでプリント装置の設定に反映されるユーザ設定情報は、印刷時の明るさ、コントラスト、濃度、色合い等であり、印刷する画像の選択にユーザの認証結果を反映させることができるものではない。
【０００７】
特に、ネイルプリント装置を個人ユーザが使用する場合には、できるだけ煩雑な手続きを省略して、自分の好みに合ったネイルデザインの印刷を簡易迅速に行いたいという要望がある。
特許文献１に記載のプリント装置は、このようなユーザの要望に応えることができるものではなかった。
【０００８】
本発明は以上のような事情に鑑みてなされたものであり、できるだけ煩雑な手続きを省いて、好みのネイルデザインの印刷を簡易迅速に行うことのできるネイルプリント装置及び印刷制御方法を提供することを目的とするものである。
【課題を解決するための手段】
【０００９】
前記課題を解決するために、本発明のネイルプリント装置は、
上面に指が載置される指載置面と、
複数の互いに異なるネイルデザインの画像データを記憶している記憶部と、
前記記憶部に記憶されている前記複数のネイルデザインから選出された１又は複数の特定のネイルデザインのうち、使用者により選択された１つの前記ネイルデザインによる印刷を指の爪に施す印刷部と、
前記指載置面に設けられ、前記指載置面上の予め設定された読取位置に載置された指から個人識別可能な生体情報を取得する生体情報取得部と、
前記記憶部と前記印刷部と前記生体情報取得部とを制御する制御部と、
を備え、
前記記憶部は、前記印刷を施した爪に対応する指の前記生体情報と当該爪に印刷された前記ネイルデザインとを互いに対応付けて記憶しており、
前記制御部は、
前記指載置面上の前記読取位置に載置された印刷指に対して前記生体情報取得部が取得した前記生体情報を印刷指生体情報とし、該印刷指生体情報と前記記憶部に記憶されている前記生体情報とを照合する生体情報照合部と、
前記生体情報照合部の照合により前記印刷指生体情報に合致すると判断された前記生体情報に対応付けて前記記憶部に記憶されている前記ネイルデザインを前記特定のネイルデザインとして選出するデザイン選出部と、
前記指載置面上の前記読取位置に載置されて、前記生体情報取得部により前記生体情報が取得された後の前記印刷指の前記爪に、前記印刷部により前記ネイルデザインの印刷が施されるように制御する印刷制御部と、
を有することを特徴としている。
【００１０】
また、本発明の印刷制御方法は、
指の爪に印刷を施すネイルプリント装置の印刷制御方法において、
前記印刷を施す爪に対応する指を印刷指として、前記印刷指が指載置面上の予め設定された読取位置に載置されている状態で、前記印刷指から個人識別可能な生体情報を印刷指生体情報として取得し、
該印刷指生体情報と、前記印刷を施した爪に対応する指の前記生体情報と当該爪に印刷された前記ネイルデザインとを互いに対応付けて記憶している記憶部に記憶されている前記生体情報と、を照合し、
記憶部に記憶されている複数の互いに異なるネイルデザインから、前記照合により前記印刷指生体情報に合致すると判断された前記生体情報に対応付けて前記記憶部に記憶されている１又は複数の特定のネイルデザインを選出し、
前記指載置面上の前記読取位置に載置され、前記生体情報が取得された後の前記印刷指の前記爪に、前記特定のネイルデザインにおける使用者により選択された１つの前記ネイルデザインによる印刷を施すことを特徴としている。
【発明の効果】
【００１１】
本発明によれば、指載置手段に載置されたユーザの指から個人識別可能な生体情報を取得するとともに、いずれかのネイルデザインが使用者の爪に印刷するものとして選択されると、当該選択されたネイルデザインを使用者の生体情報と対応付けて記憶させておき、印刷指の生体情報がすでに記憶されている生体情報に合致した場合に、当該生体情報に対応付けられているネイルデザインを予め記憶されている複数のネイルデザインから選出し、当該選出されたネイルデザインのうち、ユーザにより選択されたネイルデザインの画像データに基づいて爪に印刷を施すようになっている。
このため、ユーザは、過去に印刷したことのあるネイルデザインを再度印刷したいと思ったときに、煩雑な入力や設定等を行わなくても、指載置手段に印刷指を載置するだけで所望のネイルデザインを簡易迅速に選択して、爪に印刷することができるとの効果を奏する。
【図面の簡単な説明】
【００１２】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】（Ａ）は、本実施形態における掴み部の収納状態における平面図であり、（Ｂ）は、（Ａ）のＢ−Ｂ線に沿う断面図であり、（Ｃ）は、（Ａ）のＣ−Ｃ線に沿う断面図である。
【図４】（Ａ）は、本実施形態における掴み部の引出し状態における平面図であり、（Ｂ）は、（Ａ）のＢ−Ｂ線に沿う断面図であり、（Ｃ）は、掴み部の一変形例を示す断面図である。
【図５】（Ａ）は、本実施形態における指紋読取部の検知面と指との位置関係を示す平面図であり、（Ｂ）は、（Ａ）における掴み部のみを断面にして指紋読取部と指との位置関係を示した概念図である。
【図６】本実施形態におけるセンサ部の一構成例を示す要部構成図である。
【図７】（Ａ）は、本実施形態における指紋読取部による指紋画像の読み取り動作を示す概念図であり、（Ｂ）は、指紋読取部により読み取られる指紋画像の一例を示した図である。
【図８】図１のネイルプリント装置の正面側の断面図である。
【図９】図１のネイルプリント装置の側断面図である。
【図１０】第１の実施形態に係るネイルプリント装置の制御構成を示した要部ブロック図である。
【図１１】第１の実施形態における対応付け記憶部のデータ構成例を示す図である。
【図１２】第１の実施形態のネイルプリント装置におけるネイル印刷処理を示すフローチャートである。
【図１３】第１の実施形態において表示部に表示されるデザイン選択画面の一例を示す図である。
【図１４】第１の実施形態において表示部に表示されるデザイン選択画面の一例を示す図である。
【図１５】ユーザの爪にネイルデザインが印刷された状態を示す図である。
【図１６】第２の実施形態に係るネイルプリント装置の制御構成を示した要部ブロック図である。
【図１７】第２の実施形態における撮影部により撮影される指定領域を示す説明図である。
【図１８】第２の実施形態における対応付け記憶部のデータ構成例を示す図である。
【図１９】部分爪領域データを原爪領域データに当てはめる処理を示す説明図である。
【図２０】第２の実施形態のネイルプリント装置におけるネイル印刷処理を示すフローチャートである。
【図２１】第３の実施形態における対応付け記憶部のデータ構成例を示す図である。
【図２２Ａ】第３の実施形態のネイルプリント装置におけるネイル印刷処理を示すフローチャートである。
【図２２Ｂ】第３の実施形態のネイルプリント装置におけるネイル印刷処理を示すフローチャートである。
【図２３】（Ａ）は、印刷指挿入部に印刷指として人差し指から小指を印刷指挿入部に挿入した際の固定態様を示す断面図であり、（Ｂ）は、（Ａ）に示す掴み部の平面図である。
【発明を実施するための形態】
【００１３】
［第１の実施形態］
図１から図１５を参照しつつ、本発明に係るネイルプリント装置の第１の実施形態について説明する。なお、以下に述べる実施形態には、本発明を実施するために技術的に好ましい種々の限定が付されているが、本発明の範囲を以下の実施形態及び図示例に限定するものではない。
【００１４】
図１は、本実施形態におけるネイルプリント装置の外観を示す斜視図であり、図２は、ネイルプリント装置の内部構成を示す斜視図である。
図１に示すように、このネイルプリント装置１は、ケース本体２及び蓋体４を備えている。蓋体４は、ケース本体２の上面である天板２ａの後端部に設けたヒンジ３を介して、ケース本体２に回動可能に連結されている。蓋体４は、ヒンジ３を支点として、ケース本体２の天板２ａに重ねられた状態からケース本体２の天板２ａに対して立てられた状態（図１参照）まで回動可能となっている。
【００１５】
上記ケース本体２は上方から平面視した場合にほぼ長円状に形成されている。このケース本体２の前側には開閉板２ｃが起倒可能に設けられている。この開閉板２ｃは、ケース本体２の前面下端部に設けられたヒンジ（図示せず）を介して、ケース本体２に連結されている。この開閉板２ｃは、ケース本体２の前面を開閉するためのものである。
なお、ケース本体２及び蓋体４の形状、構成はここに例示したものに限定されない。
【００１６】
また、ケース本体２の天板２ａには操作部１２が設置されており、天板２ａのほぼ中央部には表示部１３が設定されている。
操作部１２は、ユーザが各種入力を行うための入力手段である。
操作部１２には、例えば、ネイルプリント装置１の電源をＯＮする電源スイッチ釦、動作を停止させる停止スイッチ釦、爪Ｔに印刷するネイルデザインを選択するデザイン選択釦、印刷開始を指示する印刷開始釦、その他各種の入力を行うための操作釦１２１が配置されている。
本実施形態では、例えば表示部１３にネイルデザインを選択するためのデザイン選択画面（図１３、図１４参照）が表示されるようになっており、ユーザは、所望のネイルデザインを操作釦１２１によって選択することにより、印刷されるネイルデザインが選択される。
【００１７】
表示部１３は、例えば液晶ディスプレイ（ＬＣＤ：Liquid Crystal Display）、有機エレクトロルミネッセンスディスプレイその他のフラットディスプレイ等で構成されている。本実施形態において、この表示部１３には、例えば、印刷する爪Ｔに対応する指（以下「印刷指Ｕ１」という）Ｕ１を撮影した画像（以下「指画像」という。）、この指画像中に含まれる爪Ｔの輪郭線（すなわち、爪領域を表す線）、爪Ｔに印刷すべき画像（すなわち、ネイルデザイン）を選択するためのデザイン選択画面、各種の指示を表示させる指示画面、告知画面、警告画面等が適宜に表示される。
特に、本実施形態において、表示部１３は、デザイン選出部５１４によって印刷指Ｕ１の爪Ｔに印刷するネイルデザインの候補として１又は複数のネイルデザイン（特定のネイルデザイン）が選出されたときに、当該ネイルデザインの画像データに基づく画像（例えばネイルデザインのサムネイル画像）を表示させるデザイン表示手段として機能する。
また、本実施形態では、表示部１３の表面にタッチパネルが一体的に構成されている。これにより、ユーザは、図示しないスタイラスペンや指先等により表示部１３の表面をタッチするタッチ操作によっても各種の入力を行うことができるようになっており、表示部１３のタッチパネルも、上記操作部１２と同様に、各種指示等を入力する入力手段として機能する。
表示部１３は、後述する制御装置５０の表示制御部５１５（図１０参照）に接続され、該表示制御部５１５によって制御されるようになっている。
【００１８】
また、ケース本体２にはネイルプリント装置１の装置本体１０が収容されている。
この装置本体１０は、図２に示すように、印刷指固定部２０、撮影部３０、印刷部４０及び制御装置５０（図１１参照）を備えている。これら印刷指固定部２０、撮影部３０、印刷部４０及び制御装置５０は機枠１１に設けられている。
なお、機枠１１は下部機枠１１ａ及び上部機枠１１ｂによって構成されている。そして、下部機枠１１ａは箱状に形成され、ケース本体２の内部下方に設置され、上部機枠１１ｂは下部機枠１１ａの上方で且つケース本体２の内部上方に設置されている。
【００１９】
印刷指固定部２０は、機枠１１の中の下部機枠１１ａに設けられている。すなわち、下部機枠１１ａには、印刷指挿入部２０ａ、非印刷指挿入部２０ｂ及び掴み部２０ｃが設けられており、これらによって印刷指固定部２０が構成されている。
ここで、印刷指挿入部２０ａは、印刷対象である爪Ｔに対応する指（以下「印刷指Ｕ１」という）を挿入するめための指挿入部である。なお、本実施形態では、印刷指挿入部２０ａに１本ずつ印刷指Ｕ１を挿入して爪Ｔへの印刷等を行う場合を例として説明する。
印刷指挿入部２０ａの底面（本実施形態では掴み部２０ｃの上面）は、印刷指Ｕ１を載置する指載置面（印刷指載置面）として機能する。印刷指Ｕ１の撮影や印刷等は、印刷指Ｕ１がこの指載置面としての印刷指挿入部２０ａの印刷指載置面（掴み部２０ｃの上面）に載置された状態で行われる。
また、非印刷指挿入部２０ｂは、印刷指以外の指（以下「非印刷指Ｕ２」という。）を挿入するための指挿入部である。
【００２０】
掴み部２０ｃは、印刷指挿入部２０ａに挿入された印刷指Ｕ１と、非印刷指挿入部２０ｂに挿入された非印刷指Ｕ２とで挟持することが可能な部分である。本実施形態において、この掴み部２０ｃは印刷指挿入部２０ａと非印刷指挿入部２０ｂとを仕切る隔壁によって構成されている。
図３（Ａ）は、掴み部２０ｃを上側から見た平面図であり、図３（Ｂ）は、図３（Ａ）におけるＢ−Ｂ線に沿う断面図であり、図３（Ｃ）は、図３（Ａ）におけるＣ−Ｃ線に沿う断面図である。
図３（Ａ）等に示すように、本実施形態において、掴み部２０ｃは、指挿入方向の奥側に位置する掴み部本体２０１とこの掴み部本体２０１における指挿入方向の手前側端部に係止され、掴み部本体２０１に対して指挿入方向に沿って引き出し可能に構成された可動部２０２とを備えている。
掴み部本体２０１の指挿入方向手前側の内部には、掴み部本体２０１の指挿入方向の手前側端面に開口し、指挿入方向の手前側から奥側に向かって所定の長さに亘り延在する挿入孔部２０３が、掴み部本体２０１の幅方向の両端部近傍にそれぞれ形成されている。挿入孔部２０３の開口部の径は、挿入孔部２０３の内部の径よりも小さくなっている。
また、可動部２０２には、掴み部本体２０１の挿入孔部２０３に対応する位置に、それぞれ挿入孔部２０３内に挿入される挿入支持部２０４が設けられている。
挿入支持部２０４の指挿入方向奥側端部には、他の部分よりも径が大きい係止用鍔部２０５が形成されている。この係止用鍔部２０５の径は、挿入孔部２０３の内部の径よりも小さく、挿入孔部２０３の開口部の径よりも大きくなっている。
【００２１】
図４（Ａ）は、図３（Ａ）に示す掴み部本体２０１から可動部２０２が指挿入方向手前側に引き出された状態を示した平面図であり、図４（Ｂ）は、図４（Ａ）におけるＢ−Ｂ線に沿う断面図である。
図３（Ａ）及び図３（Ｃ）に示すように、可動部２０２は、挿入支持部２０４が挿入孔部２０３内に奥まで挿入された収納状態において、掴み部２０ｃの指挿入方向における長さは最も短くなる。また、図４（Ａ）及び図４（Ｂ）に示すように、可動部２０２は、係止用鍔部２０５が挿入孔部２０３の開口部内側に係止されるまで指挿入方向手前側に引き出すことが可能であり、この引出し状態において、掴み部２０ｃの指挿入方向における長さは最も長くなる。本実施形態では、収納状態において掴み部２０ｃにおける指挿入方向手前側端部が印刷指挿入部２０ａの開口部端面とほぼ面一となり、引出し状態において掴み部２０ｃにおける指挿入方向手前側端部が印刷指挿入部２０ａの開口部から突出した状態となる。
このように、掴み部２０ｃを掴み部本体２０１と可動部２０２とで構成し、掴み部２０ｃの指挿入方向における長さを可変とすることにより、長さの異なる各種の指が印刷指挿入部２０ａに挿入された場合にも広く対応させることができる。
【００２２】
なお、例えば、可動部２０２を一定の引き出し状態で係止する係止部材を挿入孔部２０３や挿入支持部２０４等に設けてもよい。また、例えば、バネ等の弾性部材を挿入孔部２０３や挿入支持部２０４内等に設けて、印刷指Ｕ１を印刷指挿入部２０ａに挿入していなときには、可動部２０２が掴み部本体２０１から引き出された状態にされ、印刷指Ｕ１を印刷指挿入部２０ａに挿入して、可動部２０２に押し込み方向の力が加わったときに、挿入支持部２０４が挿入孔部２０３内に挿入されて、可動部２０２が掴み部本体２０１側に押し込まれるように構成されていてもよい。
図４（Ｃ）は、挿入孔部２０３内に弾性部材としてバネ２０６を配置した例を示す断面図である。図４（Ｃ）では、バネ２０６によって挿入支持部２０４が外側に付勢され、可動部２０２が掴み部本体２０１から引き出されている状態を示している。
また、掴み部２０ｃの形状、構成や、指挿入方向における長さを可変とするための構成はここに例示したものに限定されない。
また、図３（Ｂ）等に示すように、この掴み部２０ｃの指挿入側端部（すなわち、可動部２０２の指挿入側端部）は、印刷指Ｕ１の腹全体が印刷指載置面に当接した状態で、印刷指Ｕ１と非印刷指Ｕ２とで掴み部２０ｃを強く挟持することができるように、指挿入方向の断面がほぼ円形となっている。なお、掴み部２０ｃの指挿入側端部の形状は、図示例に限定されないが、楕円形、多角形等、印刷指Ｕ１及び非印刷指Ｕ２の付け根が突き当てられた際に自然に馴染む形状となっていることが好ましい。
【００２３】
また、図３（Ａ）〜図３（Ｃ）、図４（Ａ）及び図４（Ｂ）等に示すように、掴み部２０ｃの上面側であって、撮影部３０のカメラ３２の撮影可能範囲内には、指紋読取部２１（指紋センサ）が配置されている。指紋読取部２１は、指載置面である印刷指載置面に載置された印刷指Ｕ１から個人識別可能な生体情報としての指紋画像を取得する生体情報取得部である。
また、掴み部２０ｃの上面側であって指紋読取部２１における指挿入方向奥側端部近傍には、印刷指挿入部２０ａに挿入された印刷指Ｕ１の先端部分が突き当てられる突き当て部２２が設けられている。
【００２４】
図５（Ａ）は、指載置面である掴み部２０ｃの上面に印刷指Ｕ１を載置した状態を上側から見た平面図であり、図５（Ｂ）は、図５（Ａ）における印刷指Ｕ１以外を断面した側断面図である。
突き当て部２２は、所定の位置に印刷指Ｕ１を位置決めするものであり、図５（Ａ）及び図５（Ｂ）等に示すように指の先端部分が突き当て部２２に突き当てられるまで印刷指挿入部２０ａに印刷指Ｕ１を挿入することにより、印刷指載置面に載置された印刷指Ｕ１の腹部分が指紋読取部２１の検知面ＤＴＣ上に配置されるようになっている。
なお、指紋読取部２１が設けられる位置やその大きさ等、及び突き当て部２２等が設けられる位置やその大きさ、形状等は図示例に限定されない。
【００２５】
図６は、本実施形態に係るセンサ部２１１の一構成例を示す要部構成図であり、図７（Ａ）は、本実施形態に係る指紋読取部２１によって指紋画像の読み取りを行う様子を示す概念図であり、図７（Ｂ）は、指紋読取部２１によって読み取られた指紋画像の一例である。
図７に示すように、本実施形態において、指紋読取部２１（指紋センサ）は、センサ部２１１とこのセンサ部２１１の下方に配置されているバックライトＢＬとを備えている。
【００２６】
図６に示すように、本実施形態におけるセンサ部２１１は、例えば特開２００５−２４２８４１号公報において開示されているようなダブルゲート型の薄膜トランジスタ構造を有するフォトセンサＰＳ（ダブルゲート型フォトセンサ）を適用したものである。センサ部２１１は、大別して、多数のフォトセンサ（読取画素）ＰＳを、透明な基板ＳＵＢ（図７参照）の上に、例えば、ｎ行×ｍ列（ｎ、ｍは任意の自然数）のマトリクス状に２次元配列したフォトセンサアレイ１１０と、各フォトセンサＰＳのトップゲート端子ＴＧを行方向に接続して伸延するトップゲートラインＬｔと、各フォトセンサＰＳのボトムゲート端子ＢＧを行方向に接続して伸延するボトムゲートラインＬｂと、各フォトセンサＰＳのソース端子Ｓ（図７においてソース電極１０２）を列方向に接続して伸延するソースライン（データライン）Ｌｓと、ドレイン端子Ｄ（図７においてドレイン電極１０３）を所定の低電位電圧（例えば、接地電位）Ｖssに共通に接続するドレインライン（コモンライン）Ｌｄと、各トップゲートラインＬｔに接続されたトップゲートドライバ１２０と、各ボトムゲートラインＬｂに接続されたボトムゲートドライバ１３０と、各ソースラインＬｓに接続されたソースドライバ１４０と、を備えて構成されている。
本実施形態のセンサ部２１１において、トップゲートドライバ１２０、ボトムゲートドライバ１３０及びソースドライバ１４０は、各々ドライバＩＣチップ（集積回路チップ）の形態を有し、フォトセンサアレイ１１０が形成された透明な基板ＳＵＢ上であって、該フォトセンサアレイ１１０近傍の周辺領域に配置、実装されている。
【００２７】
ここで、指紋読取部２１により印刷指Ｕ１の指紋を読み取る手法について、図７（Ａ）及び図７（Ｂ）を参照しつつ説明する。
指紋の読み取りを行う場合には、ユーザは印刷指Ｕ１をフォトセンサアレイ１１０の上面の検知面ＤＴＣに密着するように載置する。
そして、まず、トップゲート制御信号に基づいてトップゲートドライバ１２０によりトップゲート端子ＴＧにローレベル（例えば、トップゲート電圧Ｖtg＝−１５Ｖ）のバイアス電圧φＴｉが印加され、これにより、電荷蓄積動作（キャリヤ蓄積動作）が開始される。
すなわち、フォトセンサＰＳが形成された透明な基板ＳＵＢの下方に設けられたバックライトＢＬから、検知面ＤＴＣの上に載置されている印刷指Ｕ１に対して照射光Ｌｘが照射されると、その反射光Ｌｙが透明電極層からなるトップゲート電極ＴＧｘを通過して半導体層１０１に入射する。これにより、半導体層１０１に入射した光量に応じて、半導体層１０１の入射有効領域（キャリヤ発生領域）で電子−正孔対が生成され、半導体層１０１とブロック絶縁膜１０４との界面近傍（チャネル領域周辺）に正孔が蓄積される（電荷の蓄積）。
また、この電荷蓄積動作と並行して、ソースゲート制御信号に基づいてソースドライバ１４０によりソース端子Ｓにプリチャージパルス（例えば、プリチャージ電圧Ｖpg＝＋５Ｖ）が印加され、ソース電極１０２に電荷を保持させるプリチャージ動作が実行される。
この電荷蓄積動作とプリチャージ動作とを行った後、ボトムゲート制御信号に基づいてボトムゲートドライバ１３０によりボトムゲートラインＬｂを介して、ボトムゲート端子ＢＧに読み出しパルス（例えば、ボトムゲート電圧（＝読み出しパルス電圧）Ｖbg＝＋１０Ｖのハイレベル）φＢｉが印加される。これにより、電荷蓄積動作においてチャネル領域に蓄積されたキャリヤ（正孔）に応じたソースライン電圧ＶＤ（データ電圧Ｖrd；電圧信号）をソースドライバ１４０により読み出す読み出し動作が実行される。
ここで、読み出しパルスφＢｉの印加期間（読み出し期間）におけるソースライン電圧ＶＤ（データ電圧Ｖrd）の変化傾向は、電荷蓄積動作において蓄積されたキャリヤが多い場合（明状態）には、電圧が急峻に低下する傾向を示し、一方、蓄積されたキャリヤが少ない場合（暗状態）には緩やかに低下する傾向を示すので、例えば、読み出し動作の開始から所定の時間経過後のデータ電圧Ｖrdを検出することにより、フォトセンサＰＳに入射した光の量、すなわち、被写体の明暗パターンに対応した明度データ（明暗情報）を検出することができる。
そして、このような特定の行（ｉ行目）に対する一連の明度データ検出動作を１サイクルとして、上述したフォトセンサアレイ１１０の各行（ｉ＝１、２、・・・ｎ）に対して、同様の動作処理を繰り返すことにより、図７（Ｂ）に示すような印刷指Ｕ１の２次元画像（指紋画像）を明度データとして読み取ることができる。
【００２８】
図８は、本実施形態に係るネイルプリント装置１の正面側の断面図であり、図９は、ネイルプリント装置１の側断面図である。なお、図９では、印刷指挿入部２０ａに印刷指Ｕ１として左手の親指が挿入されている状態を例示している。
図８及び図９に示すように、撮影部３０は、機枠１１の中の上部機枠１１ｂに設けられている。
すなわち、上部機枠１１ｂには基板３１が設置されており、この基板３１の中央部下面にはカメラ３２が設置されている。カメラ３２は、例えば、ドライバーを内蔵し、２００万画素程度以上の画素を有している。また、基板３１には、カメラ３２を囲むように白色ＬＥＤ等の照明灯３３が設置されている。撮影部３０は、このカメラ３２及び照明灯３３を備えて構成されている。
この撮影部３０は、後述する制御装置５０の撮影制御部５１１（図１０参照）に接続され、該撮影制御部５１１によって制御されるようになっている。
なお、撮影部３０によって撮影された指画像の画像データは、後述する記憶部５２に記憶される。ここで、指画像の画像データは、指載置面としての掴み部２０ｃの上面の位置情報を含んでいる。
【００２９】
また、印刷部４０は、デザイン選出部５１４によって選出された１又は複数のネイルデザインのうちから、ユーザにより設定されたネイルデザインの画像データに基づいて爪Ｔに印刷を施すものであり、主に上部機枠１１ｂに設けられている。
すなわち、図８及び図９に示すように、上部機枠１１ｂの両側板には、２本のガイドロッド４１が、掴み部本体２０１の幅方向に沿った左右方向で水平に、互いに平行に架設されている。このガイドロッド４１には、主キャリッジ４２が摺動自在に設置されている。また、図９に示すように、主キャリッジ４２の前壁４２ａおよび後壁４２ｂには２本のガイドロッド４４が、ガイドロッド４１に対して直交する前後方向に沿って、互いに平行に架設されている。このガイドロッド４４には、副キャリッジ４５が摺動自在に設置されている。この副キャリッジ４５の下面中央部には、印刷ヘッド４６が搭載されている。本実施形態において、印刷ヘッド４６は、例えば、インクを微滴化したインク滴を噴射し、印刷対象である爪Ｔにインク滴を着弾させて印刷を行うインクジェット方式の印刷ヘッドである。
【００３０】
主キャリッジ４２は、動力伝達手段（図示せず）を介してモータ４３に連結され、モータ４３の正逆回転によって、ガイドロッド４１に沿って左右方向に移動するように構成されている。また、副キャリッジ４５は、動力伝達手段（図示せず）を介してモータ４７に連結され、モータ４７の正逆回転によって、ガイドロッド４４に沿って前後方向に移動するように構成されている。
【００３１】
また、下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。なお、印刷ヘッド４６自体にインクカートリッジを搭載する構成、インクカートリッジと印刷ヘッド４６とが一体化した構成のものを適用してもよい。
【００３２】
印刷部４０は、ガイドロッド４１、主キャリッジ４２、モータ４３、ガイドロッド４４、副キャリッジ４５、印刷ヘッド４６、モータ４７及びインクカートリッジ４８等を備えて構成されている。この印刷部４０のモータ４３、印刷ヘッド４６、モータ４７は、後述する制御装置５０の印刷制御部５１６（図１０参照）に接続され、該印刷制御部５１６によって制御されるようになっている。
【００３３】
また、制御装置５０は、例えば上部機枠１１ｂに配置された基板３１等に設置されている。図１０は、本実施形態におけるネイルプリント装置の制御構成を示す要部ブロック図である。
制御装置５０は、図１０に示すように、図示しないＣＰＵ（Central Processing Unit）等によって構成されている制御部５１、ＲＯＭ（Read Only Memory）及びＲＡＭ（Random Access Memory）等で構成される記憶部５２を備えるコンピュータである。
【００３４】
記憶部５２には、ネイルプリント装置１を動作させるための各種プログラムや各種データ等が格納されている。
本実施形態において、記憶部５２には、ネイルデザイン記憶部５２１、指紋画像記憶部５２２、対応付け記憶部５２３が設けられている。
ネイルデザイン記憶部５２１は、爪Ｔに印刷可能なネイルデザインの画像データ（印刷データ）を複数記憶している。各ネイルデザインの画像データには、各データを特定することのできるアクセス情報（例えば、デザイン番号である「No.0001」「No.0002」…等）が付帯されている。
指紋画像記憶部５２２は、生体情報取得部である指紋読取部２１により印刷指Ｕ１に対応して取得された生体情報としての指紋画像の画像データを記憶している。各指紋画像の画像データには、各データを特定することのできるアクセス情報（例えば、「指紋画像Ａ」「指紋画像Ｂ」「指紋画像Ｃ」等）が付帯されている。
【００３５】
対応付け記憶部５２３は、ネイルデザイン記憶部５２１に記憶されているいずれかのネイルデザインがユーザの爪Ｔに印刷するものとして選択されたときに、当該選択されたネイルデザイン（すなわち、当該ユーザによって選択され、ユーザの爪Ｔに印刷されたことのあるネイルデザインの履歴）をユーザの生体情報としての指紋画像と対応付けて、複数記憶している。
図１１は、本実施形態における対応付け記憶部５２３のデータ構成例を示す図である。
図１１に示すように、本実施形態では、指紋画像の画像データを特定することのできるアクセス情報（例えば、図１１において「指紋画像Ａ」「指紋画像Ｂ」「指紋画像Ｃ」等）がネイルデザインの画像データを特定することのできるアクセス情報（例えば、図１１において「No.0009」「No.0011」「No.0015」等）と対応付けられて、対応付け記憶部５２３に記憶されている。
例えば、指紋画像記憶部５２２に記憶されている「指紋画像Ａ」に合致する指紋画像を有するユーザの印刷指Ｕ１の爪Ｔには、過去に「No.0009」「No.0011」「No.0015」の３つのネイルデザインが印刷されたことがあるという場合、図１１における「指紋画像Ａ」の段に示すように、「指紋画像Ａ」のアクセス情報とネイルデザインのアクセス情報であるデザイン番号「No.0009」「No.0011」「No.0015」とが対応付けられて記憶される。これにより、指紋読取部２１によってユーザの印刷指Ｕ１から「指紋画像Ａ」に合致する指紋画像が読み取られたときは、当該ユーザの爪Ｔに印刷すべきネイルデザインとしてこれら「No.0009」「No.0011」「No.0015」のネイルデザインをネイルデザイン記憶部５２１から読み出すことが可能となっている。
【００３６】
なお、対応付け記憶部５２３には、過去に当該ユーザによって選択されたネイルデザインの履歴がすべて対応付けられていてもよいし、例えば常に直近の所定数（例えば５つ）のネイルデザインのみを記憶し、新たにネイルデザインが選択され印刷されたときは選択時期の古いものから順次破棄されるように構成してもよい。
なお、対応付け記憶部５２３の構成はここで示したものに限定されず、例えば、画像データにアクセスするためのアクセス情報ではなく、指紋画像の画像データ自体とネイルデザインの画像データ自体とが対応付け記憶部５２３において相互に対応付けられて記憶されていてもよい。この場合には別途ネイルデザイン記憶部５２１や指紋画像記憶部５２２を設ける必要がない。
なお、対応付け記憶部５２３に記憶される内容はここに例示したものに限定されない。例えば、手の種類（すなわち、右手か左手かの区別）、指の種類（親指から小指までの５指）等も対応付け記憶部５２３に指紋画像と対応付けられて記憶されていてもよい。
また、記憶部５２は、その他、撮影部３０によって撮影された画像のデータ等を記憶する記憶部等を備えていてもよい。
【００３７】
制御部５１は、機能的に見た場合、撮影制御部５１１、記憶制御部５１２、指紋照合部５１３、デザイン選出部５１４、表示制御部５１５、印刷制御部５１６等を備えている。これら撮影制御部５１１、記憶制御部５１２、指紋照合部５１３、デザイン選出部５１４、表示制御部５１５、印刷制御部５１６等としての機能は、ＣＰＵと記憶部５２のＲＯＭ等に記憶されたプログラムとの共働によって実現される。なお、制御部５１に含まれる機能部はここに挙げたものに限定されず、その他の機能部を備えていてもよい。
【００３８】
撮影制御部５１１は、ユーザの印刷指Ｕ１の指画像等を撮影するように、撮影部３０の撮影動作を制御する。例えば撮影制御部５１１は、ユーザが印刷指Ｕ１を印刷指挿入部２０ａに挿入する際に、印刷指挿入部２０ａ内に挿入される印刷指Ｕ１の様子を撮影部３０に撮影させる。撮影部３０によって撮影された画像は例えば表示部１３等に表示され、ユーザが印刷指Ｕ１をセットする際に目視にて印刷指Ｕ１の配置を確認できるようにすることが好ましい。
なお、撮影制御部５１１は、撮影部３０によって取得された画像の画像データを記憶部５２に記憶させるようになっていてもよい。
【００３９】
記憶制御部５１２は、ネイルデザイン記憶部５２１に記憶されている複数のネイルデザインのうちのいずれかのネイルデザインがユーザの爪Ｔに印刷するものとして選択されたときに、当該選択されたネイルデザインをユーザの生体情報である指紋画像と対応付けて対応付け記憶部５２３に記憶させる第１の記憶制御手段として機能する。
なお、本実施形態では、前述のように、指紋画像の画像データ自体は指紋画像記憶部５２２に記憶されるようになっており、また、ネイルデザインの画像データ自体はネイルデザイン記憶部５２１に記憶されている。記憶制御部５１２は、指紋画像の画像データにアクセスするためのアクセス情報とネイルデザインの画像データにアクセスするためのアクセス情報とを互いに対応付けて対応付け記憶部５２３に記憶させる。
【００４０】
指紋照合部５１３は、生体情報取得部である指紋読取部２１によって印刷対象となる爪Ｔに対応する印刷指Ｕ１の印刷指生体情報としての印刷指Ｕ１の指紋画像の画像データが取得されたときに、当該指紋画像の画像データ（印刷指Ｕ１の指紋画像）と、対応付け記憶部５２３に記憶されている生体情報としての複数の指紋画像の画像データとを照合する生体情報照合部である。
すなわち、本実施形態では、印刷指挿入部２０ａ内にユーザの印刷指Ｕ１が載置されると、この印刷指Ｕ１の指紋画像が指紋読取部２１により読み取られる。そして、指紋照合部５１３は、印刷指Ｕ１の指紋画像が指紋読取部２１により読み取られると、この指紋画像の画像データが、対応付け記憶部５２３に記憶されている複数の指紋画像の画像データのうちの何れかと一致するか否か、パターンマッチングを行う。パターンマッチングの手法は特に限定されないが、例えば複数の特徴点について対応する点があるか否かを判断することにより照合を行う。
【００４１】
デザイン選出部５１４は、生体情報照合部である指紋照合部５１３による照合の結果、印刷指生体情報としての印刷指Ｕ１の指紋画像の画像データが、対応付け記憶部５２３に記憶されている生体情報としての複数の指紋画像の画像データのうちの特定の指紋画像の画像データ（生体情報）に合致すると判定されたときに、当該特定の指紋画像の画像データ（生体情報）に対応付けて記憶されている１又は複数のネイルデザインを、印刷指Ｕ１の爪Ｔに印刷するネイルデザインの候補として選出する。
なお、デザイン選出部５１４は、特定の指紋画像の画像データ、すなわち、印刷を行おうとしているユーザの指紋画像に対応付けて対応付け記憶部５２３に記憶されているネイルデザインが複数ある場合、その全てを選出してもよいし、対応付け記憶部５２３に記憶された時期の最も新しいものを１又は上位所定数選出してもよい。また、例えば、各ネイルデザインが過去に印刷すべきデザインとして選択された回数等を対応付け記憶部５２３に記憶させておき、対応付け記憶部５２３に記憶されている複数のネイルデザインのうち、この回数の多いもの（すなわち、ユーザによる使用頻度の高いもの）を１又は上位所定数選出してもよい。
【００４２】
表示制御部５１５は、表示部１３に各種の表示画面を表示させる。
本実施形態では、表示制御部５１５は、前述のように、印刷指Ｕ１の指画像や爪Ｔの輪郭線（すなわち、爪領域を表す線）、ネイルデザインを選択するためのデザイン選択画面、デザイン確認用のサムネイル画像、各種の指示を表示させる指示画面、告知画面、警告画面等を表示部１３に表示させるようになっている。
特に本実施形態では、表示制御部５１５は、デザイン選出部５１４によって印刷指Ｕ１の爪Ｔに印刷するネイルデザインとして１又は複数のネイルデザインが選出されたときに、当該ネイルデザインの画像データに基づく画像を表示部１３に表示させる。
【００４３】
印刷制御部５１６は、デザイン選出部５１４によって選出され、ユーザにより設定されたネイルデザインによって爪Ｔに印刷を施すように印刷部４０を制御するものである。
具体的には、印刷制御部５１６は、デザイン選出部５１４によって選出された１又は複数のネイルデザインの中から、デザイン選択画面等において１つのネイルデザインがユーザにより選択されると、当該ネイルデザインを印刷するネイルデザインとして設定し、設定されたネイルデザインの印刷データをネイルデザイン記憶部５２１から読み出して、印刷部４０に出力する。そして、印刷部４０の動作を制御し、当該印刷データに基づいてネイルデザインの印刷を行わせる。
【００４４】
次に、図１２から図１５を参照しつつ、本実施形態におけるネイルプリント装置１による印刷制御方法について説明する。
図１２は、ネイルプリント装置１によって行われるネイル印刷処理を示したフローチャートである。
【００４５】
このネイルプリント装置１により印刷を行う場合、ユーザはまず、電源スイッチを入れて制御装置５０を起動させる。
ネイルプリント装置１の電源がＯＮとなり、制御装置５０が起動すると、図１２に示すように、制御部５１（表示制御部５１５）は、ネイル印刷を行う手の１本の指（印刷指Ｕ１）を指紋読取部２１の上に載置するよう指示する指示画面を表示部１３に表示させる（ステップＳ１）。
制御部５１は、印刷指Ｕ１が指紋読取部２１の上に載置されたか否かを判断する（ステップＳ２）。そして、印刷指Ｕ１が指紋読取部２１の上に載置されていない判断した場合（ステップＳ２；ＮＯ）には、ステップＳ２の判断処理を繰り返す。他方、指紋読取部２１の上に印刷指Ｕ１が載置されたと判断した場合（ステップＳ２；ＹＥＳ）には、制御部５１は、指紋読取部２１によって、指紋読取部２１の上に載置された印刷指Ｕ１の指紋画像の画像データを取得する（ステップＳ３）。そして、制御部５１（指紋照合部５１３）は、指紋読取部２１によって取得されたこの指紋画像の画像データを、記憶部５２の対応付け記憶部５２３に記憶されている複数の指紋画像と照合し（ステップＳ４）、取得した印刷指Ｕ１の指紋画像が対応付け記憶部５２３に記憶されている複数の指紋画像のうちの特定のユーザの特定の指紋画像と合致するか否かを判断する（ステップＳ５）。具体的には、印刷指Ｕ１の指紋画像の画像データが、対応付け記憶部５２３に記憶されている複数の指紋画像のうちのいずれかの指紋画像（すなわち、対応付け記憶部５２３内のデータとアクセス情報によって紐付けられている指紋画像記憶部５２２内のいずれかの指紋画像）の画像データと合致するか否かを、パターンマッチングによって判断する。
【００４６】
そして、印刷指Ｕ１の指紋画像が対応付け記憶部５２３に記憶されている特定の指紋画像と合致すると判断した場合（ステップＳ５；ＹＥＳ）には、デザイン選出部５１４は、対応付け記憶部５２３において当該特定のユーザの特定の指紋画像と対応付けて記憶されている特定のネイルデザインの画像データを読み出す（ステップＳ６）。例えば、印刷指Ｕ１の指紋画像が、図１１に示す対応付け記憶部５２３に記憶されている「指紋画像Ａ」と合致する場合、デザイン選出部５１４は、この「指紋画像Ａ」と対応付けられているネイルデザイン（図１１では、デザイン番号「No.0009」「No.0011」「No.0015」のネイルデザイン）を選出し、このデザイン番号に紐付けられているネイルデザインの画像データをネイルデザイン記憶部５２１から読み出す。そして、表示制御部５１５は、当該特定のネイルデザイン（すなわち、図１１では、デザイン番号「No.0009」「No.0011」「No.0015」のネイルデザイン）の画像データに対応する画像を表示部１３に表示させる（ステップＳ７）。
【００４７】
図１３は、デザイン番号「No.0009」「No.0011」「No.0015」のネイルデザインの画像データがデザイン選出部５１４によって選出された場合に、これらの画像データに基づく画像が表示されている表示部１３のデザイン選択画面の一例を示す図である。
図１３に示すように、表示部１３のデザイン選択画面には、デザイン選出部５１４によって選出されたネイルデザインのサムネイル画像が、そのデザイン番号（図１３において「No.0009」「No.0011」「No.0015」）とともに一覧表示される。なお、ネイルデザインの表示のさせ方、デザイン選択画面のレイアウト等はここに例示したものに限定されない。
デザイン選択画面には、ネイルデザインを選択、指定するための「決定釦」が設けられており、ユーザが、爪Ｔに印刷したいいずれかのネイルデザインにタッチして「決定釦」を押すことで、当該ネイルデザインを指定する指示信号が出力され、印刷すべきネイルデザインが指定される。なお、ネイルデザインの指定は、操作部１２からデザイン番号を入力する等によって行われてもよい。
また、一画面に収まらない数のネイルデザインがネイルデザイン記憶部５２１に記憶されている場合等には、デザイン選択画面には、次の候補を表示させるための「次ページ釦」、前の候補に戻るための「前ページ釦」が設けられ、ユーザがこれらの釦を操作することで、適宜表示画面を切り替えることができるようになっている。
【００４８】
ユーザにより、デザイン選択画面に表示されたネイルデザインの中からいずれかのネイルデザインが指定されると、当該ネイルデザインが爪Ｔに印刷するネイルデザインとして設定される（ステップＳ８）。
なお、印刷指Ｕ１の指紋画像と合致する特定の指紋画像（例えば図１１において「指紋画像Ｂ」）に対応付けられているネイルデザインが１つしかない場合には、デザイン選出部５１４は、当該１つのネイルデザイン（図１１では、デザイン番号「No.0006」の画像データを読み出し、表示制御部５１５は、当該ネイルデザインの画像を表示部１３の図示しないデザイン確認画面に表示させる。また、特定の指紋画像に対応付けられているネイルデザインは複数あるが、デザイン選出部５１４がそのうち所定の優先順位の高い１つのみを選出する構成とした場合にも、デザイン選出部５１４により選出された当該１つのネイルデザインの画像を表示部１３のデザイン確認画面に表示させる。デザイン確認画面には、ネイルデザインの設定を確定させるための「決定釦」が設けられており、ユーザがこの「決定釦」を押すことで、当該ネイルデザインを指定する指示信号が出力され、爪Ｔに印刷すべきネイルデザインが設定される。
【００４９】
他方、印刷指Ｕ１の指紋画像が対応付け記憶部５２３に記憶されているいずれの指紋画像とも合致しないと判断した場合（ステップＳ５；ＮＯ）には、制御部５１（表示制御部５１５）は、取得した指紋画像が記憶部５２（対応付け記憶部５２３）に記憶されている指紋画像と合致しない旨のメッセージを表示部１３に表示させる（ステップＳ９）。そして、この場合には、ネイルデザイン記憶部５２１に記憶されている複数のネイルデザインの中から爪Ｔに印刷したいネイルデザインを選択するためのデザイン選択画面を表示部１３に表示させる（ステップＳ１０）。
図１４は、上記場合に表示部１３に表示されるデザイン選択画面の一例を示す図である。
図１４に示すように、デザイン選択画面には、ネイルデザイン記憶部５２１に記憶されている複数のネイルデザインのサムネイル画像が、そのデザイン番号（図１４においてNo.0001〜No.0018）とともに一覧表示される。なお、ネイルデザインの表示のさせ方、デザイン選択画面のレイアウト等はここに例示したものに限定されない。
デザイン選択画面には、ネイルデザインを選択、指定するための「決定釦」が設けられており、ユーザが、爪Ｔに印刷したいいずれかのネイルデザインにタッチして「決定釦」を押すことで、当該ネイルデザインを指定する指示信号が出力され、印刷すべきネイルデザインが指定される。なお、ネイルデザインの指定は、操作部１２からデザイン番号を入力する等によって行われてもよい。
また、一画面に収まらない数のネイルデザインがネイルデザイン記憶部５２１に記憶されている場合には、デザイン選択画面には、次の候補を表示させるための「次ページ釦」、前の候補に戻るための「前ページ釦」が設けられ、ユーザがこれらの釦を操作することで、適宜表示画面を切り替えることができるようになっている。
ユーザにより、デザイン選択画面に表示されたネイルデザインの中からいずれかのネイルデザインが指定されると、当該ネイルデザインが爪Ｔに印刷するネイルデザインとして設定される（ステップＳ１１）。
【００５０】
爪Ｔに印刷するネイルデザインが設定されると（すなわち、ステップＳ８及びステップＳ１１）、印刷制御部５１６は、当該設定されたネイルデザインの画像データ（印刷データ）を印刷部４０に出力し、当該ネイルデザインが印刷部４０により爪Ｔに印刷される（ステップＳ１２）。
図１５は、デザイン番号「No.0009」のネイルデザインが印刷すべきネイルデザインとして設定された場合に、これがユーザの右手の５指の爪Ｔに印刷された例を示した図である。
そして、記憶制御部５１２は、印刷するネイルデザインとして設定されたネイルデザインに対応する画像データを当該ユーザ（当該ユーザを特定する指紋画像）に対応させて対応付け記憶部５２３に記憶させる（ステップＳ１３）。具体的には、当該ネイルデザインのアクセス情報（例えばデザイン番号「No.0009」）と、当該ユーザの印刷指Ｕ１から読み取られた指紋画像（本実施形態では当該指紋画像に付されたアクセス情報。例えば「指紋画像Ａ」）とを対応付けて対応付け記憶部５２３に記憶させる。
なお、複数の指の爪Ｔにネイル印刷を行う場合には、１つの爪Ｔについて印刷が終了すると、まだ印刷が施されていない他の指があるか否かを制御部５１が判断し、未印刷の指がある場合には、次の指を指紋読取部２１の上に載置するように指示する指示画面を表示部１３に表示させ、ステップＳ２以降の処理が繰り返される。
【００５１】
以上のように、本実施形態によれば、生体情報取得部としての指紋読取部２１によってユーザの印刷指Ｕ１から個人識別可能な生体情報としての指紋画像を取得するとともに、当該ユーザの爪Ｔに印刷するものとしていずれかのネイルデザインが選択されたときには、ネイル印刷を行う度に、当該ネイルデザインを当該ユーザの指紋画像と対応付けて対応付け記憶部５２３に記憶させておく。そして、次にネイル印刷する際に、ユーザの印刷指Ｕ１の指紋画像が、対応付け記憶部５２３に記憶されている指紋画像と合致すると、当該指紋画像と対応付けられているネイルデザイン（すなわち、過去にユーザの爪Ｔに印刷されたネイルデザインの履歴）が当該ユーザの爪Ｔに印刷するネイルデザインの候補として選出されるようになっている。このため、印刷指Ｕ１を印刷指挿入部２０ａに入れて印刷指Ｕ１の指紋画像を読み取らせるだけで、多数のネイルデザインの中から当該ユーザが過去に印刷したことのあるネイルデザインの履歴を容易に読み出すことができる。これにより、一人のユーザが以前使用したネイルデザインをもう一度印刷したいという場合に、煩雑な入力操作等を行う必要がない。これにより、簡易迅速に好みのネイルデザインを爪Ｔに印刷することができる。
また、本実施形態では、デザイン選出部５１４によって印刷指Ｕ１の爪Ｔに印刷するネイルデザインとして１又は複数のネイルデザインが選出されたときには、デザイン表示部としての表示部１３に当該ネイルデザインの画像データに基づく画像を表示させる。このため、ユーザは、過去に使用したネイルデザインを自ら表示画面上で確認することができ、複数のネイルデザインが選出されている場合には、その中から任意の１つを選択することができる。
また、デザイン選出部５１４によって選出されたネイルデザインを印刷前に表示画面上で確認することができるため、過去に印刷したネイルデザインを確認して、気に入らない場合には、新たにネイルデザインを選び直すことも可能である。
【００５２】
なお、本実施形態では、デザイン選出部５１４によって選出されたネイルデザインを表示部１３に表示させて、ユーザが「決定釦」を押す入力操作を行うことで爪Ｔに印刷するネイルデザインとして確定される場合を例示したが、デザイン選出部５１４によって選出されたネイルデザインの表示部１３への表示は本発明において必須ではない。
例えば、デザイン選出部５１４によって選出されたネイルデザインが１つしかない場合であれば、当該ネイルデザインを確認するためのデザイン確認画面を表示部１３に表示させることなく、すぐに当該ネイルデザインを爪Ｔに印刷するネイル印刷に移行してもよい。この場合には、ネイルデザインの確認や入力操作等を行う必要がないため、より簡易迅速にネイル印刷を行うことができる。
【００５３】
［第２の実施形態］
次に、図１６から図２０を参照しつつ、本発明に係るネイルプリント装置の第２の実施形態について説明する。なお、本実施形態は、ネイル印刷処理の内容が第１の実施形態と異なるものであるため、以下においては、特に第１の実施形態と異なる点について説明する。
【００５４】
図１６は、本実施形態におけるネイルプリント装置の制御構成を示す要部ブロック図である。
本実施形態では、撮影制御部５１１は、撮影部３０を制御して印刷指Ｕ１の爪Ｔを含む指画像を取得させる。撮影制御部５１１は、撮影部３０によって取得された指画像の画像データを記憶部５２に記憶させるようになっており、この指画像は後述する爪領域抽出部５１７が原爪領域データや部分爪領域データを抽出するための指画像として用いられる。
図１７は、指画像を撮影する際の撮影部３０による撮影範囲を示す平面図である。
本実施形態の撮影部３０は、印刷指Ｕ１の爪Ｔを含む指定領域ｐａを撮影して指画像を取得する指画像取得部として機能するようになっており、ネイル印刷を行うために印刷指挿入部２０ａ内に載置された印刷指Ｕ１を照明灯３３によって照明し、カメラ３２によって撮影する。この場合、図１７に示すように、指紋読取部２１の検知面ＤＴＣの上の領域及びこの領域の周辺領域が撮影部３０による撮影範囲である指定領域ｐａとして設定される。
【００５５】
また、本実施形態において記憶制御部５１２は、本実施形態における生体情報取得部である指紋読取部２１によりユーザの印刷指Ｕ１に対応して取得された生体情報としての指紋画像（指紋画像の画像データにアクセスするためのアクセス情報）と、原爪領域抽出部である爪領域抽出部５１７により印刷指Ｕ１に対応して抽出された爪領域データ（爪Ｔ全体に対応する原爪領域データ）とを互いに対応付けて記憶部５２の対応付け記憶部５２３に記憶させる第２の記憶制御手段として機能する。
図１８は、本実施形態における対応付け記憶部５２３のデータ構成例を示す図である。
図１８に示すように、本実施形態では、指紋画像の画像データを特定することのできるアクセス情報（例えば、図１８において「指紋画像Ａ」「指紋画像Ｂ」「指紋画像Ｃ」等）が原爪領域データ及び当該指紋画像と対応するユーザの爪Ｔに印刷されたネイルデザインの履歴と対応付けられて対応付け記憶部５２３に記憶されている。
これにより、例えば、指紋読取部２１によってユーザの印刷指Ｕ１から読み取られた指紋画像が指紋画像記憶部５２２に記憶されている「指紋画像Ａ」の画像データに合致する場合、このアクセス情報に基づいて「指紋画像Ａ」と対応する原爪領域データを当該ユーザの爪Ｔの原爪領域データとして対応付け記憶部５２３から読み出すことが可能となっている。
なお、対応付け記憶部５２３の構成はここで示したものに限定されず、例えば、指紋画像の画像データ自体が対応付け記憶部５２３において原爪領域データと対応付けられて記憶されていてもよい。また、原爪領域データについても個別のデータにアクセスするためのアクセス情報のみが指紋画像と対応付けられて記憶され、原爪領域データ自体は別途記憶部５２に記憶される構成としてもよい。
【００５６】
また、図１６に示すように、本実施形態における制御部５１には、第１の実施形態で示した各機能部の他、爪領域抽出部５１７、爪領域データ読出部５１８、印刷領域設定部５１９が設けられている。
【００５７】
爪領域抽出部５１７は、指画像取得部である撮影部３０により取得された指画像から、爪Ｔの形状に対応する原爪領域データを抽出する原爪領域抽出手段として機能する。
また、本実施形態では、爪領域抽出部５１７は、指載置面である印刷指載置面に印刷指Ｕ１が載置され、撮影部３０により当該印刷指Ｕ１の爪Ｔを含む印刷指画像が取得されたときに、この印刷指画像から、爪Ｔの一部に対応する部分爪領域データを抽出する部分爪領域抽出手段としても機能する。
爪領域抽出部５１７は、例えば、撮影部３０により取得された指画像の中から、爪Ｔとそれ以外の指部分との輝度や色の違い等に基づいて爪領域データ（原爪領域データ及び部分爪領域データ）を抽出する。爪領域抽出部５１７によって抽出される爪領域データは、例えば爪Ｔの輪郭を示す位置座標のデータである。なお、爪領域抽出部５１７が爪領域データ（原爪領域データ及び部分爪領域データ）を抽出する手法は特に限定されず、ここに挙げたものに限られない。
また、部分爪領域抽出手段としての爪領域抽出部５１７により抽出される部分爪領域データは、例えば爪Ｔの根元側の少なくとも一方の側の角部分を含むある程度の長さの領域の輪郭のデータである（例えば図１９の左側に実線で示す部分参照）。なお、部分爪領域データとしてどの部分のデータを抽出するかはここに示した例に限定されないが、部分爪領域データは原爪領域データとのパターンマッチング（合わせ込み）を行うためのデータであるため、爪Ｔの形状の個体差が現れやすく、経時変化しにくい部分に対応するデータであることが好ましい。このため、部分爪領域データとしては、爪Ｔの根元部分の他、例えば爪Ｔの幅方向の少なくとも一方の側のある程度の長さ部分の輪郭のデータでもよい。これに対して、爪Ｔの先端側は、爪Ｔが伸びることで長さや形状が変化するため、部分爪領域データとして好ましくない。また、輪郭を表す線のデータ以外にも、爪Ｔの輪郭上の複数の点（特徴点）を部分爪領域データとして抽出してもよい。ここで、部分爪領域データは、指載置面としての掴み部２０ｃの上面の位置情報を含んでいる。
【００５８】
爪領域データ読出部５１８は、生体情報照合部である指紋照合部５１３による照合の結果、印刷指生体情報である印刷指Ｕ１の指紋画像の画像データが指紋画像記憶部５２２に記憶されている複数の指紋画像のうちの特定の指紋画像に合致すると判定されたとき、対応付け記憶部５２３に記憶されている原爪領域データのうちの、当該特定の指紋画像（生体情報）に対応付けて記憶されている特定の原爪領域データを対応付け記憶部５２３から読み出す。
すなわち、ユーザの印刷指Ｕ１の指紋画像が取得され、これがすでに対応付け記憶部５２３に記憶済みの特定の指紋画像と合致する場合に、爪領域データ読出部５１８は、当該印刷指Ｕ１の爪Ｔの輪郭を表すデータとして、当該特定の指紋画像と対応付けられている原爪領域データを読み出す。これにより、印刷時に改めて印刷対象である爪領域全体の抽出処理を行う必要がなく、印刷領域の設定に要する処理時間の短縮を図ることができる。
【００５９】
印刷領域設定部５１９は、爪領域データ読出部５１８により対応付け記憶部５２３から読み出された特定の原爪領域データに基づいて、印刷指Ｕ１の爪Ｔに対応する印刷領域を設定する。
本実施形態において、印刷領域設定部５１９は、部分爪領域抽出手段としての爪領域抽出部５１７により印刷指Ｕ１の指画像から抽出された部分爪領域データ（すなわち、印刷対象となる爪Ｔの爪領域の一部を示すデータ）と、爪領域データ読出部５１８により読み出された特定の原爪領域データ（すなわち、印刷指Ｕ１の指紋画像と合致する記憶済みの指紋画像に対応付けられた原爪領域データ）と、に基づいて、印刷指Ｕ１の爪Ｔに対応する印刷領域を設定する。
図１９は、印刷領域設定部５１９による部分爪領域データと原爪領域データとの合わせ込み処理を示す説明図である。
図１９に示すように、例えば、部分爪領域データが爪Ｔの根元部分の一部分の一定範囲（図１９において一点鎖線で示す枠内）の輪郭のデータである場合、印刷領域設定部５１９は、これを原爪領域データにおける爪Ｔの根元部分の対応する位置に合わせ込むパターンマッチング処理（合わせ込み処理）を行う。
原爪領域データを取得した時の爪Ｔの位置と、今回の印刷における印刷指Ｕ１の爪Ｔの位置とは、両者において印刷指挿入部２０ａに挿入した指の位置が互いに多少ずれていることがあり、必ずしも一致しない。この点、印刷指Ｕ１の爪Ｔの部分爪領域データを原爪領域データに合わせ込むことで、両者の位置がずれていた場合でも、印刷指Ｕ１の爪Ｔに応じた適切な位置に印刷領域を設定することができる。また、印刷領域の掴み部２０ｃの上面における位置は、部分爪領域データの掴み部２０ｃの上面の位置情報に基づいて決定される。
なお、その他の構成は、第１の実施形態等と同様であるため、同一部材には同一の符号を付してその説明を省略する。
【００６０】
次に、図２０を参照しつつ、本実施形態におけるネイルプリント装置によるネイル印刷処理について説明する。
図２０は、ネイルプリント装置によって行われる印刷処理を示したフローチャートである。なお、図２０におけるステップＳ２１からステップＳ２８までの処理は第１の実施形態の図１２におけるステップＳ１からステップＳ８までの処理と同様であるため、その説明を省略する。
ユーザにより爪Ｔに印刷すべきネイルデザインが設定されると、次に、制御部５１（爪領域データ読出部５１８）は、当該特定の指紋画像（すなわち、指紋画像に対応する特定のユーザ）に対応付けられて記憶されている原爪領域データを対応付け記憶部５２３から読み出して取得する（ステップＳ２９）。そして、印刷領域設定部５１９は、この原爪領域データに基づいて印刷領域を設定する（ステップＳ３０）。具体的には、撮影部３０により印刷指Ｕ１の指画像を取得して、部分爪領域抽出手段としての爪領域抽出部５１７がこの指画像から部分爪領域データを抽出する。そして、印刷領域設定部５１９は、爪領域抽出部５１７により抽出された印刷指Ｕ１の部分爪領域データを、対応付け記憶部５２３から読み出された原爪領域データに合わせ込むパターンマッチング処理（合わせ込み処理）を行い、これにより原爪領域データを取得した際の爪Ｔの位置と今回の印刷における爪Ｔの位置との位置ずれを修正して、印刷領域を設定する。また、印刷領域の掴み部２０ｃの上面における位置は、部分爪領域データの掴み部２０ｃの上面の位置情報に基づいて決定される。
【００６１】
他方、印刷指Ｕ１の指紋画像が対応付け記憶部５２３に記憶されているいずれの指紋画像とも合致しないと判断した場合（ステップＳ２５；ＮＯ）には、表示制御部５１５は、第１の実施形態の図１２におけるステップＳ９からステップＳ１１までの処理と同様に、ネイルデザイン記憶部５２１に記憶されている複数のネイルデザインを表示部１３に表示させ、ユーザによる選択にしたがって、この中からネイルデザインを設定する（ステップＳ３１からステップＳ３３）。
そして、撮影制御部５１１は、撮影部３０を制御して指紋読取部２１上を含む指定領域の指画像を取得させる（ステップＳ３４）。さらに爪領域抽出部５１７は、取得した指画像から爪Ｔ全体に対応する原爪領域データを抽出する（ステップＳ３５）。原爪領域データが抽出されると、印刷領域設定部５１９は、この原爪領域データに基づいて印刷領域を設定する（ステップＳ３６）。また、記憶制御部５１２は、抽出された原爪領域データを当該印刷指Ｕ１の指紋画像に対応付けて対応付け記憶部５２３に記憶させる（ステップＳ３７）。すなわち、記憶制御部５１２は、指紋画像記憶部５２２に記憶されている当該印刷指Ｕ１の指紋画像の画像データにアクセスするためのアクセス情報と原爪領域データ（例えば、図１８において「原爪領域データａ」「原爪領域データｂ」「原爪領域データｃ」）とを対応付けて記憶させる。
【００６２】
爪Ｔに印刷すべきネイルデザイン及び印刷領域が設定されると、印刷制御部５１６は、設定されたネイルデザインの画像データ（印刷データ）をネイルデザイン記憶部５２１から読み出して印刷部４０に出力し、設定された印刷領域に当該ネイルデザインを印刷させる（ステップＳ３８）。そして、記憶制御部５１２は、今回の印刷処理において設定されたネイルデザインに対応する画像データを当該ユーザに対応する指紋画像に対応させて対応付け記憶部５２３に記憶させる（ステップＳ３９）。
【００６３】
以上のように、本実施形態によれば、第１の実施形態と同様の効果を得られる他、以下の効果を得ることができる。
すなわち、本実施形態では、生体情報取得部としての指紋読取部２１によって印刷指Ｕ１から個人識別可能な生体情報としての指紋画像を取得して、ネイル印刷を行う度に、この指紋画像と当該印刷指Ｕ１の爪Ｔの形状に対応する原爪領域データとを対応付けて対応付け記憶部５２３に記憶させておく。そして、次にネイル印刷を行う際に、指紋読取部２１によって印刷指Ｕ１の指紋画像を読み取り、読み取られた指紋画像と合致する特定の指紋画像と対応付けられている原爪領域データを対応付け記憶部５２３から読み出し、この原爪領域データに基づいて印刷領域を設定する。このように、本実施形態では、一旦ネイル印刷を行ってその際に原爪領域データが対応付け記憶部５２３に記憶されると、その後煩雑な入力操作等を行う必要がなく、印刷指Ｕ１を印刷指挿入部２０ａに挿入し、所定位置に指先を載置するだけで、自分の爪Ｔの原爪領域データを読み出し、この原爪領域データに基づいて適切な位置に印刷領域を設定することができる。
また、ネイル印刷においては、印刷を行う領域である爪領域全体を抽出する作業に時間がかかり、これを印刷の度に行うとネイル印刷に要する時間が長くなってしまう。この点、本実施形態では、指紋画像と対応付けて予め記憶されている原爪領域データに基づいてネイル印刷を行う印刷領域を自動的に設定する。このため、ネイル印刷を行う度に爪領域全体の抽出処理を行う手間を省くことができ、ネイル印刷に係わる時間を短縮して、簡易迅速にネイル印刷を行うことができる。
なお、本実施形態におけるネイルプリント装置１は、１人のユーザが自分専用機として用いることもできるし、家族や友人等と共用して用いることもできるものである。そして、本ネイルプリント装置１は、１人のユーザが自分専用機として用いる場合にも、煩雑な設定なく自分の爪の形状等を示すデータである原爪領域データを簡易に記憶部５２に記憶させることができ、次回以降のネイル印刷時にはこの原爪領域データに基づいて印刷領域を自動的に設定することができる。また、複数人で共用して装置を用いる場合にも、各ユーザ毎に原爪領域データを簡易に記憶させることができ、次回以降のネイル印刷時には各ユーザの指紋画像を読み取るだけで当該ユーザの原爪領域データを読み出し、これに基づいて印刷領域を自動的に設定することができる。このため、ユーザが変わる度に煩雑な入力操作等を行う必要がなく、複数のユーザで１台の装置を使用する場合でも簡易迅速にネイル印刷を行うことができる。
また、本実施形態では、ネイル印刷時には、印刷指Ｕ１の爪Ｔを含む印刷指画像を取得して、この印刷指画像から、爪Ｔの一部に対応する部分爪領域データを抽出し、この部分爪領域データと登録済みの特定の原爪領域データとを合わせこんで印刷領域を設定する。このため、使用者登録を行った際（すなわち原爪領域データが取得された際）とネイル印刷時とで、爪Ｔの位置がずれている場合でも、ずれを補正して正しい範囲に印刷領域を設定することができる。また、ネイル印刷時に取得する爪領域データは爪Ｔの一部に対応する部分爪領域データのみであるため、爪領域データの抽出にかかる時間を短縮でき、さらに、原爪領域データとの合わせ込み（パターンマッチング）もこの爪Ｔの一部に対応する部分でのみ行うため、パターンマッチングに要する処理時間も短縮することができる。
【００６４】
なお、本実施形態では、印刷領域設定部５１９が、原爪領域データに部分爪領域データを合わせ込むことにより印刷領域を設定する場合を例としたが、印刷領域設定部５１９が印刷領域を設定する手法はこれに限定されない。
例えば、原爪領域データを取得した後、すぐに今回のネイル印刷処理を行う場合や、印刷指挿入部２０ａ内に印刷指Ｕ１を所定の位置に固定する手段を設けて印刷時には常に同じ位置に爪Ｔが配置されるように構成した場合等、原爪領域データの取得時と今回の印刷時とで爪Ｔの位置ずれが生じないような場合には、原爪領域データによって特定される領域をそのまま印刷領域として設定してもよい。原爪領域データと部分爪領域データとの合わせ込み（パターンマッチング）を行わない場合には、一旦原爪領域データを取得した後は印刷前に爪Ｔを撮影して指画像を取得したり、この指画像から爪領域（部分爪領域）データを抽出したりする必要がなく、印刷処理にかかる時間をさらに短縮することができる。
【００６５】
［第３の実施形態］
次に、図２１、図２２Ａ及び図２２Ｂを参照しつつ、本発明に係るネイルプリント装置の第３の実施形態について説明する。なお、本実施形態は、対応付け記憶部に記憶される事項等が第１の実施形態及び第２の実施形態と異なるものであるため、以下においては、特に第１の実施形態及び第２の実施形態と異なる点について説明する。
【００６６】
本実施形態のネイルプリント装置では、第１の実施形態と同様に、ユーザの指紋画像（指紋画像のアクセス情報）と過去にユーザの爪Ｔに印刷されたネイルデザインの履歴（ネイルデザインのアクセス情報）とが対応付けられて対応付け記憶部５２３（図２１参照）に記憶されている。
また、本実施形態において、操作部１２、表示部１３のタッチパネル等の入力手段は、ユーザに固有の使用者固有情報を入力することができる固有情報入力手段として機能するようになっている。
そして、記憶制御部５１２は、固有情報入力手段である操作部１２等により使用者固有情報が入力されたときに、当該使用者固有情報をこれと対応する使用者の生体情報である指紋画像と対応付けて対応付け記憶部５２３に記憶させる第３の記憶制御手段として機能する。
ここで使用者固有情報とは、例えば、ユーザの「氏名」「年令」「性別」等のユーザの個人的な情報である。なお、使用者固有情報はここに挙げたものに限定されず、例えば「職業」等が含まれていてもよい。
また、本実施形態では、生体情報照合部である指紋照合部５１３による照合の結果、印刷指Ｕ１の指紋画像（印刷指生体情報）が指紋画像記憶部５２２に記憶されている生体情報である複数の指紋画像のうちの特定の指紋画像（生体情報）に合致すると判定されたときに、当該特定の指紋画像（生体情報）に対応する使用者固有情報を対応付け記憶部５２３から読み出して表示部１３に表示させるようになっており、表示部１３は、特定の指紋画像（生体情報）に対応する使用者固有情報を報知する報知手段として機能する。
【００６７】
図２１は、本実施形態における対応付け記憶部５２３の構成例を示す図である。
図２１に示すように、本実施形態において、対応付け記憶部５２３は、生体情報取得部である指紋読取部２１によりユーザの印刷指Ｕ１に対応して取得された生体情報としての指紋画像（当該指紋画像のアクセス情報）と、当該指紋画像が読み取られた印刷指Ｕ１に印刷されたことのあるネイルデザインの履歴（当該ネイルデザインのアクセス情報）と、当該ユーザによって操作部１２等から入力された使用者固有情報と、を互いに対応付けて記憶する。
すなわち、例えば「指紋画像Ａ」に対応するユーザの爪Ｔに印刷されたことのあるネイルデザインの履歴がデザイン番号「No.0009」「No.0011」「No.0015」のネイルデザインであり、ユーザが、自らの使用者固有情報として、氏名「甲」、年令「２１」、性別「女」を入力した場合、これらが互いに対応付けられて対応付け記憶部５２３に記憶される。
なお、使用者固有情報として対応付け記憶部５２３に記憶される内容はここに例示したものに限定されない。
【００６８】
なお、その他の構成は、第１の実施形態等と同様であることから、その説明を省略する。
【００６９】
次に、図２２Ａ、図２２Ｂを参照しつつ、本実施形態におけるネイルプリント装置による印刷制御方法について説明する。
図２２Ａ、図２２Ｂは、ネイルプリント装置によって行われる印刷処理を示したフローチャートである。なお、図２２ＡにおけるステップＳ５１からステップＳ５５までの処理は第１の実施形態の図１２におけるステップＳ１からステップＳ５までの処理と同様であるため、その説明を省略する。
指紋照合部５１３により、印刷指Ｕ１から読み取られた指紋画像と指紋画像記憶部５２２に記憶されている複数の指紋画像のうちの特定の指紋画像とが合致すると判断された場合（ステップＳ５５；ＹＥＳ）には、制御部５１は、当該特定の指紋画像（すなわち、指紋画像に対応する特定のユーザ）に対応付けられて記憶されているネイルデザイン（ネイルデザインの履歴）及びユーザの氏名等の使用者固有情報を対応付け記憶部５２３から読み出して取得する（ステップＳ５６）。なお、手の種別や指の種別の情報についても対応付けて記憶されている場合には、これらの情報もともに読み出される。
制御部５１は、取得した使用者固有情報等がユーザ本人の情報に間違いないかの確認を求める確認指示画面を表示部１３に表示させる（ステップＳ５７）。ユーザは、表示部１３に表示された情報を確認して、内容に間違いがなければ、図示しない「ＯＫ釦」を操作する等、情報内容を承認する操作を行う。この操作により、制御部５１に情報承認信号が出力される。また、内容に間違いがあれば、図示しない「Ｎｏ釦」を操作する等、情報内容を非承認する操作を行う。この操作により、制御部５１に情報非承認信号が出力される。制御部５１は、取得した情報が正しいか否か、すなわち、操作部１２等から情報承認信号が送られたか、情報非承認信号が送られたかを判断し（ステップＳ５８）、情報非承認信号が送られた場合には取得した情報が正しくないと判断する（ステップＳ５８；ＮＯ）。この場合には、制御部５１は、正しい情報を入力するよう指示する指示画面を表示部１３に表示させる（ステップＳ５９）。指示画面には例えば、入力内容を確認する図示しない「確認釦」が設けられており、ユーザが表示部１３の入力指示に従って情報を入力した後、「確認釦」を操作すると、入力された情報が正しい情報として制御部５１に出力される。制御部５１は、正しい情報が入力されたか否か、すなわち、情報入力後入力した内容を承認する「確認釦」が操作されたか否かを判断し（ステップＳ６０）、「確認釦」が操作されていない場合（ステップＳ６０；ＮＯ）には、ステップＳ５９に戻って処理を繰り返す。他方、情報入力後「確認釦」が操作されたと判断した場合（ステップＳ６０；ＹＥＳ）には、入力された情報に対応するネイルデザインの画像データを、対応付け記憶部５２３及びネイルデザイン記憶部５２１より読み出して取得する（ステップＳ６１）。
例えば、ユーザが「甲」である場合に、表示部１３の確認指示画面では「乙」の情報（氏名、年令等）が表示されている場合、ユーザが正しく「甲」の使用者固有情報を入力することにより、「甲」の指紋画像と対応付けられているネイルデザイン（図２１において「No.0009」「No.0011」「No.0015」のネイルデザイン）の画像データがネイルデザイン記憶部５２１から読み出される。
そして、取得したネイルデザインの画像データに対応する画像を表示部１３に表示させる（ステップＳ６２）。
【００７０】
他方、操作部１２等から情報承認信号が送られた場合には、制御部５１は取得した情報が正しいと判断し（ステップＳ５８；ＹＥＳ）、ステップＳ５６において読み出された特定のネイルデザインに対応する画像を表示部１３に表示させる（ステップＳ６３）。そして、ユーザにより、表示部１３に表示されたネイルデザインの中から１つのネイルデザインが選択されると、これが当該ユーザの印刷指Ｕ１に印刷すべきネイルデザインとして設定される（ステップＳ６４）。
【００７１】
これに対して、指紋照合部５１３により、印刷指Ｕ１から読み取られた指紋画像が対応付け記憶部５２３に記憶されているいずれの指紋画像とも合致しないと判断された場合（ステップＳ５５；ＮＯ）には、第１の実施形態の図１２におけるステップＳ９からステップＳ１１までの処理と同様に、制御部５１は、印刷指Ｕ１の指紋画像が指紋画像記憶部５２２に記憶されているいずれにも合致しない旨を表示部１３に表示させるとともに（ステップＳ６５）、ネイルデザイン記憶部５２１に記憶されている複数のネイルデザインの画像を表示部１３に一覧表示させる（ステップＳ６６）。そして、ユーザにより、この中から１のネイルデザインが選択されると、当該ネイルデザインを爪Ｔに印刷するデザインとして設定する（ステップＳ６７）。そして、ユーザに氏名等の使用者固有情報を入力するよう促す指示画面を表示部１３に表示させる。入力指示に従ってユーザが使用者固有情報を入力すると入力情報が制御部５１に取得される（ステップＳ６８）。
ユーザによりネイルデザインが設定されると、当該ネイルデザインの画像データ（印刷データ）が印刷部４０に出力され、当該画像データに基づいてネイルデザインがユーザの爪Ｔに印刷される（ステップＳ６９）。そして、今回の印刷において設定されたネイルデザインに対応する画像データとユーザの使用者固有情報とを、当該ユーザの指紋画像と対応付けて記憶部５２（対応付け記憶部５２３）に記憶させる（ステップＳ７０）。
【００７２】
以上のように、本実施形態によれば、第１の実施形態と同様の効果を得られるほか、以下の効果を得られる。
すなわち、対応付け記憶部５２３に、ネイルデザインの他、ユーザの氏名等の使用者固有情報が指紋画像と対応付けられて記憶されている。そして、ユーザの印刷指Ｕ１から取得した指紋画像と指紋画像記憶部５２２に記憶されている複数の指紋画像との照合を行い、取得した指紋画像に合致すると判断された特定の指紋画像に対応付けて対応付け記憶部５２３に記憶されている使用者固有情報を表示部１３に表示させ、ユーザに確認を求めるようになっている。
指紋認証における認識率は通常１００％ではないため、指紋画像のパターンマッチングの結果対応付け記憶部５２３から読み出される情報が誤っている可能性がある。誤ったネイルデザインが読み出された場合、ユーザの爪Ｔに自分の好みでないネイルデザインが印刷されてしまうおそれがある。
この点、本実施形態によれば、ユーザは、使用者固有情報を表示させて確認することにより、指紋画像のパターンマッチングの結果、自分の情報が正しく読み出されたか否かを検証することができ、他人の履歴に基づいたネイル印刷が行われることを未然に防ぐことができる。
【００７３】
なお、本実施形態では、第１の実施形態のように、指紋画像とネイルデザインの履歴とを対応付けて対応付け記憶部５２３に記憶させる場合に、併せてユーザの使用者固有情報をも指紋画像等と対応付けて記憶させる場合を例示したが、第２の実施形態のように、指紋画像とネイルデザインの履歴とユーザの使用者固有情報に加えて、原爪領域データを対応付けて対応付け記憶部５２３に記憶させるようにしてもよい。
【００７４】
なお、以上本発明の実施形態について説明したが、本発明は、かかる実施形態に限定されず、その要旨を逸脱しない範囲で、種々変形が可能であることは言うまでもない。
【００７５】
例えば、上記各実施形態では、印刷指Ｕ１（印刷指Ｕ１）を１本ずつ装置に挿入して順次印刷を行うネイルプリント装置を例としたが、ネイルプリント装置はこれに限定されず、例えば片手の人差し指から小指までの４本の指を同時に挿入して、各指に連続的に印刷を行うことのできる装置に本発明を適用することも可能である。
図２３（Ａ）は、複数本の指に対して連続的に印刷処理等を行うことのできるネイルプリント装置の印刷指固定部２０の要部断面図であり、図２３（Ｂ）は、このようなネイルプリント装置における掴み部２０ｃを上側から見た平面図である。
図２３（Ａ）では、左手の人差し指から小指までの４本の指を印刷指Ｕ１として印刷指挿入部２０ａに挿入し、親指を非印刷指Ｕ２として非印刷指挿入部２０ｂに挿入した状態を示している。
このように、複数の指に対して連続的に処理を行う場合には、図２３（Ｂ）に示すように、生体情報取得部としての指紋読取部２１及び突き当て部２２を、印刷指挿入部２０ａに挿入が予想される指の数に応じて複数（図２３（Ｂ）では４つ）設ける。
なお、複数の指に対応させる構成はここに例示したものに限定されず、例えば、複数の指が配置される部分全体に一つながりの指紋読取部を広く配置してもよい。
【００７６】
また、上記各実施形態では、生体情報取得部である指紋読取部２１（指紋センサ）として、ダブルゲート型の薄膜トランジスタ構造を有するフォトセンサＰＳ（ダブルゲート型フォトセンサ）を適用したセンサ部２１１を備えるものを例として説明したが、指紋読取部２１の構成はこれに限定されない。
例えば、センサ部２１１は、ダブルゲート型フォトセンサを適用したものに限定されず、ゲートを一つしか持たない一般的なトランジスタ構造を有するフォトセンサで構成されたものであってもよい。
また、指紋読取部２１（指紋センサ）は、掴み部２０ｃ等の小さなスペースに配置可能な小型の指紋読取部（指紋センサ）であればよく、その構成は特に限定されない。例えば指紋画像をプリズムやミラー等の光学系を介して取り込み、マトリクス状に配列されたフォトセンサ（具体的には、ＣＣＤやＣＭＯＳセンサ等）により明暗情報を読み取る光学式（光学画像読取型）の指紋センサの他、指（被写体）と検出センサ間に生じる電位の差に基づいて静電容量を検出することにより指紋画像（被写体画像）を読み取る半導体式（静電容量読取型）の指紋センサ等、いかなる構成のものでも適用可能である。
【００７７】
さらに、上記各実施形態では、印刷指Ｕ１（印刷指Ｕ１）から個人識別可能な生体情報を取得する生体情報取得部として、指紋画像を取得する指紋読取部２１（指紋センサ）を備える場合を例としたが、生体情報取得部は、印刷指Ｕ１から個人識別可能な生体情報を取得し得るものであればよく、指紋画像を取得するものに限定されない。例えば、生体情報取得部は、生体情報として指先部分の静脈パターンを読み取る静脈読取部等であってもよい。
【００７８】
また、上記第２の実施形態では、印刷領域設定部５１９は、原爪領域データと部分爪領域データとのパターンマッチングを行うことによって印刷領域を設定する場合を例として説明したが、印刷領域設定部５１９が印刷領域を設定する手法はこれに限定されない。
例えば、印刷領域設定部５１９は、爪領域データ読出部５１８により読み出された特定の原爪領域データ（すなわち、印刷指Ｕ１の指紋画像と合致する登録済みの指紋画像に対応付けられた原爪領域データ）に基づいて、印刷指Ｕ１の爪Ｔに対応する印刷領域を設定してもよい。
例えば使用者登録とネイル印刷とを連続して行う場合や、印刷指Ｕ１が印刷指載置面において十分に固定されており、使用者登録モードにおいて印刷指Ｕ１の指紋画像を取得する位置とネイル印刷モードにおいて印刷指Ｕ１の指紋画像とを取得する位置とにずれがない場合には、印刷指Ｕ１の指紋画像に対応付けられた原爪領域データにより印刷指Ｕ１の爪Ｔの印刷指載置面における位置を特定することができ、原爪領域データのみにより印刷領域を設定することができる。
【００７９】
また、本実施形態では、印刷指画像から部分爪領域データを抽出し、この部分爪領域データを原爪領域データに合わせ込むことで、原爪領域データ取得時と今回のネイル印刷時における印刷指Ｕ１の爪Ｔの位置とのずれを修正する例を示したが、原爪領域データと印刷対象である実際の爪Ｔの位置とのずれを修正する手法はこれに限定されない。
例えば、指紋画像記憶部５２２及び対応付け記憶部５２３に記憶されている指紋画像Ａ，Ｂ，Ｃ・・・が印刷指載置面上の位置情報を含んでおり、対応付け記憶部５２３に記憶されている原爪領域データａ，ｂ，ｃ・・・印刷指載置面上の位置情報を含んでいて、指紋画像に対応付けて当該指紋画像の印刷指載置面上の位置情報を指紋画像記憶部５２２及び対応付け記憶部５２３に記憶し、原爪領域データに対応付けて当該原爪領域データの印刷指載置面上の位置情報を対応付け記憶部５２３に記憶しておき、印刷指Ｕ１の指紋画像の印刷指載置面上の位置の、記憶部５２に記憶されている、当該指紋画像に対応する特定の指紋画像の印刷指載置面上の位置に対する位置ずれ量を取得する。そして、指の爪Ｔと指紋との相対的な位置関係は一定であることから、特定の指紋画像に対応する特定の原爪領域データの印刷指載置面上の位置を、取得した位置ずれ量だけずらすずらし処理を行い、このずらし処理後の原爪領域データに基づいて印刷領域を設定するようにしてもよい。この手法によれば、ネイル印刷時には印刷指Ｕ１の指画像を取得したり、この指画像から爪領域データを抽出したりする必要がなく、印刷領域の設定に要する時間を短縮することができる。
【００８０】
また、爪Ｔを撮影する撮影手段として、爪撮影用カメラを撮影部３０の他に設けてもよい。この場合、例えば印刷部４０のキャリッジ等、爪Ｔの近傍位置に爪撮影用カメラを配置して爪Ｔに近接した位置から指画像（印刷指画像）を撮影するようにする。これにより、より鮮鋭な爪Ｔの画像を得ることができ、爪領域データの抽出をより正確に行うことができる。
また、爪Ｔを横方向から撮影するカメラ等を別途設けて、横方向から撮影された画像から爪Ｔの高さ方向の寸法や爪Ｔの傾き、曲がり具合等を検出してもよい。爪Ｔの高さ方向の寸法や爪Ｔの傾き、曲がり具合等を検出した場合には、これらのデータも指紋画像と対応付けて対応付け記憶部５２３に記憶させておき、印刷領域の設定等において、これらのデータも加味することが好ましい。
【００８１】
また、上記各実施形態では、爪Ｔの形状を表す輪郭の位置座標データである原爪領域データを指紋画像と対応付けて対応付け記憶部５２３に記憶させておき、ネイル印刷時には、この原爪領域データに基づいて印刷領域を設定する場合を例としたが、指紋画像と対応付けて対応付け記憶部５２３に記憶させておくデータはこれに限定されない。
例えば、爪Ｔの高さ方向の寸法を測定して、これを指紋画像と対応付けて記憶させていてもよいし、爪Ｔの表面のカーブの具合（爪Ｔの曲率）を求めて、これを指紋画像と対応付けて対応付け記憶部５２３に記憶させておいてもよい。なお、爪Ｔの高さ方向の寸法を測定する手法や爪Ｔの曲率を求める手法は特に限定されず、各種の公知の手法を適用することができる。
このように、爪Ｔの立体的な形状を表すデータを指紋画像と対応付けて記憶させておき、使用者登録されているユーザがネイル印刷を行う場合に、これらのデータを考慮して印刷領域等の設定を行うこととすれば、よりユーザの爪Ｔの形状と合致する適切な範囲に高精細な印刷を行うことが可能となる。
【００８２】
また、本実施形態では、ネイルデザイン記憶部５２１、指紋画像記憶部５２２、対応付け記憶部５２３等を備えるネイルプリント装置１の記憶部が、制御装置５０内の記憶部５２（ＲＯＭ、ＲＡＭ）である場合を例としたが、記憶部は、制御装置５０内の記憶部５２に限定されず、他に別途記憶部が設けられていてもよい。
【００８３】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
上面に指が載置される指載置面と、
複数の互いに異なるネイルデザインの画像データを記憶している記憶部と、
前記記憶部に記憶されている前記複数のネイルデザインから選出された１又は複数の特定のネイルデザインのうち、使用者により選択された１つの前記ネイルデザインによる印刷を指の爪に施す印刷部と、
前記指載置面上に載置された指から個人識別可能な生体情報を取得する生体情報取得部と、
前記記憶部と前記印刷部と前記生体情報取得部とを制御する制御部と、
を備え、
前記記憶部は、前記印刷を施した爪に対応する指の前記生体情報と当該爪に印刷された前記ネイルデザインとを互いに対応付けて記憶しており、
前記制御部は、
前記指載置面上に載置された印刷指に対して前記生体情報取得部が取得した前記生体情報を印刷指生体情報とし、該印刷指生体情報と前記記憶部に記憶されている前記生体情報とを照合する生体情報照合部と、
前記生体情報照合部の照合により前記印刷指生体情報に合致すると判断された前記生体情報に対応付けて前記記憶部に記憶されている前記ネイルデザインを前記特定のネイルデザインとして選出するデザイン選出部と、
を有することを特徴とするネイルプリント装置。
＜請求項２＞
前記制御部は、前記印刷部により前記印刷指の爪に前記印刷を施した際に、前記印刷指の前記生体情報と当該印刷に用いられた前記ネイルデザインとを互いに対応付けて前記記憶部に記憶させる記憶制御部を備えることを特徴とする請求項１に記載のネイルプリント装置。
＜請求項３＞
前記生体情報取得部は、前記指載置面に設けられた指紋読取部を有し、
前記指紋読取部は、指が前記指載置面に載置されたときに、当該指の前記指紋画像を前記生体情報として取得することを特徴とする請求項１又は請求項２に記載のネイルプリント装置。
＜請求項４＞
前記特定のネイルデザインを表示する表示部と、
前記表示部に表示された前記特定のネイルデザインから前記印刷に用いる前記ネイルデザインを選択するための、使用者により操作される操作部と、
を備えることを特徴とする請求項１から請求項３のいずれか一項に記載のネイルプリント装置。
＜請求項５＞
前記記憶制御部は、前記記憶部に、前記生体情報に対応付けて、該生体情報に対応する使用者の固有情報を記憶し、
前記制御部は、前記特定の生体情報に対応付けて前記記憶部に記憶されている前記固有情報を前記表示部に表示させて、前記生体情報照合部による照合の結果が正しいか否かを前記使用者に確認させる手段を有し、
前記制御部は、前記使用者により前記生体情報照合部による前記照合の結果が正しくないと判断されたとき、前記使用者により入力される正しい固有情報に対応付けて前記記憶部に記憶されているネイルデザインを前記特定のネイルデザインとして選出することを特徴とする請求項４に記載のネイルプリント装置。
＜請求項６＞
前記指載置面上に載置された前記印刷指を含む指定領域を撮影して指画像を取得する指画像取得部を備え、
前記制御部は、前記印刷指の爪に対して前記印刷部が印刷を施す印刷領域を設定する印刷領域設定部と、前記指画像取得部が取得した前記指画像から前記印刷指の爪の形状に対応する原爪領域データを抽出する爪領域抽出部と、を備え、
前記記憶制御部は、前記生体情報に対応付けて、前記爪領域抽出部が抽出した前記原爪領域データを前記記憶部に記憶させ、
前記印刷領域設定部は、前記生体情報照合部の照合により前記印刷指生体情報に合致すると判断された前記生体情報に対応付けて前記記憶部に記憶されている前記原爪領域データに基づいて、前記印刷領域を設定することを特徴とする請求項１から請求項５のいずれか一項に記載のネイルプリント装置。
＜請求項７＞
指の爪に印刷を施すネイルプリント装置の印刷制御方法において、
記憶部に記憶されている複数の互いに異なるネイルデザインから１又は複数の特定のネイルデザインを選出し、
特定のネイルデザインのうちの使用者により選択された１つの前記ネイルデザインによる印刷を指の爪に施し、
前記印刷を施す工程は、指載置面上に載置された印刷指から個人識別可能な生体情報を印刷指生体情報として取得し、該印刷指生体情報と、前記印刷を施した爪に対応する指の前記生体情報と当該爪に印刷された前記ネイルデザインとを互いに対応付けて記憶している記憶部に記憶されている前記生体情報と、を照合する工程を含み、
前記特定のネイルデザインを選出する工程は、前記照合により前記印刷指生体情報に合致すると判断された前記生体情報に対応付けて前記記憶部に記憶されている前記ネイルデザインを前記特定のネイルデザインとして選出する工程を含むことを特徴とする印刷制御方法。
＜請求項８＞
前記印刷指の爪に前記印刷を施した際に、前記印刷指の前記生体情報と当該印刷に用いられた前記ネイルデザインとを互いに対応付けて前記記憶部に記憶させる工程を含むことを特徴とする請求項７に記載の印刷制御方法。
＜請求項９＞
前記印刷を施す工程は、前記生体情報として前記印刷指の指紋画像を取得する工程を含むことを特徴とする請求項７又は請求項８に記載の印刷制御方法。
＜請求項１０＞
前記印刷を施す際に前記記憶部に前記生体情報と前記ネイルデザインとを対応付けて記憶させる工程は、前記記憶部に前記生体情報に対応付けて、該生体情報に対応する使用者の固有情報を記憶させる工程と、前記照合により前記印刷指生体情報に合致すると判断された前記生体情報に対応付けて前記記憶部に記憶されている前記固有情報を表示部に表示させて、前記照合の結果が正しいか否かを使用者に確認させる工程と、を含み、
前記特定のネイルデザインを選出する工程は、前記使用者により前記照合の結果が正しくないと判断され、前記使用者により正しい固有情報が入力されたとき、入力された前記正しい固有情報に対応付けて前記記憶部に記憶されている前記ネイルデザインを前記特定のネイルデザインとして選出する工程を含むことを特徴とする請求項７から請求項９のいずれか一項に記載の印刷制御方法。
＜請求項１１＞
前記印刷を施す工程は、前記指載置面上に載置された前記印刷指の爪を含む指定領域を撮影して指画像を取得し、前記指画像から前記印刷指の爪の形状に対応する原爪領域データを抽出する工程を含み、
前記記憶部に前記生体情報と前記ネイルデザインとを対応付けて記憶させる工程は、前記記憶部に前記生体情報に対応付けて前記原爪領域データを記憶させる工程を含み、
前記印刷を施す工程は、前記照合により前記印刷指生体情報に合致すると判断された前記生体情報に対応付けて前記記憶部に記憶されている前記原爪領域データに基づいて、前記印刷指の前記爪に対して前記印刷を施す印刷領域を設定する工程を含むことを特徴とする請求項７から請求項１０のいずれか一項に記載の印刷制御方法。
【符号の説明】
【００８４】
１      ネイルプリント装置
２０ａ  印刷指挿入部
２１    指紋読取部
３０    撮影部
４０    印刷部
５０    制御装置
５１    制御部
５２    記憶部
５１１  撮影制御部
５１２  記憶制御部
５１３  指紋照合部
５１４  デザイン選出部
５１５  表示制御部
５１６  印刷制御部
５１７  爪領域抽出部
５１８  爪領域データ読出部
５１９  印刷領域設定部
５２１  ネイルデザイン記憶部
５２２  指紋画像記憶部
５２３  対応付け記憶部
Ｔ      爪
Ｕ１    印刷指
Ｕ２    非印刷指
【図１】
0005929364.tif 000002
【図２】
0005929364.tif 000003
【図３】
0005929364.tif 000004
【図４】
0005929364.tif 000005
【図５】
0005929364.tif 000006
【図６】
0005929364.tif 000007
【図７】
0005929364.tif 000008
【図８】
0005929364.tif 000009
【図９】
0005929364.tif 000010
【図１０】
0005929364.tif 000011
【図１１】
0005929364.tif 000012
【図１２】
0005929364.tif 000013
【図１３】
0005929364.tif 000014
【図１４】
0005929364.tif 000015
【図１５】
0005929364.tif 000016
【図１６】
0005929364.tif 000017
【図１７】
0005929364.tif 000018
【図１８】
0005929364.tif 000019
【図１９】
0005929364.tif 000020
【図２０】
0005929364.tif 000021
【図２１】
0005929364.tif 000022
【図２２Ａ】
0005929364.tif 000023
【図２２Ｂ】
0005929364.tif 000024
【図２３】
0005929364.tif 000025